(57)【要約】      （修正有）【課題】オリジナリティがあって面白味のある衛生マスクを提供する。【解決手段】衛生マスク１０は、繊維で構成され、口と鼻を覆うマスク本体部１２と、マスク本体部１２の両端部に設けられ、耳に掛けるための耳掛け紐部１４と、マスク本体部１２の表面側に貼着される装飾用シール部材１６と、を備える。また、装飾用シール部材１６は、複数のシール部で構成されており、各シール部は、マスク本体部１２の表面の所望の位置に配置されている。また、装飾用シール部材１６は、ポッティング加工が施されている。【選択図】図１
0003230071.tif 000002
【実用新案登録請求の範囲】
【請求項１】
繊維で構成され、口と鼻を覆うマスク本体部と、
前記マスク本体部の両端部に設けられ、耳に掛けるための耳掛け紐部と、
前記マスク本体部の表面側に貼着される装飾用シール部材と、
を備えることを特徴とする衛生マスク。
【請求項２】
請求項１に記載の衛生マスクにおいて、
前記装飾用シール部材は、複数のシール部で構成されており、
各シール部は、前記マスク本体部の表面の所望の位置に配置されていることを特徴とする衛生マスク。
【請求項３】
請求項１または請求項２に記載の衛生マスクにおいて、
前記装飾用シール部材は、ポッティング加工が施されていることを特徴とする衛生マスク。
【考案の詳細な説明】
【技術分野】
【０００１】
本考案は、衛生マスクに関する。
【背景技術】
【０００２】
近年、新型コロナウィルス感染症の流行により、感染症対策の一環としてマスクの着用がなされている。本発明に関連する技術として、例えば、特許文献１には、上下方向及び幅方向を有し、マスク本体と、マスク本体の両側縁から延びる一対の耳掛け部とを含む使い捨てマスクにおいて、マスク本体は、マスク本体を形成するシートをプリーツ状に折り重ねて形成された複数の襞部を含み、マスク本体の下端縁は、上方へ凸曲した中央部分を有することを特徴とするマスクが開示されている。
【先行技術文献】
【特許文献】
【０００３】
【特許文献１】特開２０１９−１８３３４７号公報
【考案の概要】
【考案が解決しようとする課題】
【０００４】
一般的に、衛生マスクは白の単一色が多いが、例えば、電車の中にいる人が白色のマスクばかりを装着していると面白味がない。
【０００５】
本考案の目的は、オリジナリティがあって面白味のある衛生マスクを提供することである。
【課題を解決するための手段】
【０００６】
本考案に係る衛生マスクは、繊維で構成され、口と鼻を覆うマスク本体部と、前記マスク本体部の両端部に設けられ、耳に掛けるための耳掛け紐部と、前記マスク本体部の表面側に貼着される装飾用シール部材と、を備えることを特徴とする。
【０００７】
また、本考案に係る衛生マスクにおいて、前記装飾用シール部材は、複数のシール部で構成されており、各シール部は、前記マスク本体部の表面の所望の位置に配置されていることが好ましい。
【０００８】
また、本考案に係る衛生マスクにおいて、前記装飾用シール部材は、ポッティング加工が施されていることが好ましい。
【考案の効果】
【０００９】
本考案によれば、オリジナリティがあって面白味のある衛生マスクとなる。
【図面の簡単な説明】
【００１０】
【図１】本発明に係る実施形態の衛生マスクを示す図である。
【考案を実施するための形態】
【００１１】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１２】
図１は、本発明に係る実施形態の衛生マスク１０，１０ａ，１０ｂを示す図である。図１（ａ）は、衛生マスク１０を示す図であり、図１（ｂ）は、衛生マスク１０ａを示す図であり、図１（ｃ）は、衛生マスク１０ｂを示す図である。
【００１３】
衛生マスク１０は、マスク本体部１２と、耳掛け紐部１４と、装飾用シール部材１６とを備える。衛生マスク１０は、オリジナリティがあって面白味のあるマスクである。
【００１４】
衛生マスク１０は、着用者の顔の大きさに応じて形状を変化させて装着し、塵・花粉・ウィルス等が鼻や口から体内に侵入することを防ぐプリーツ型のマスクであるものとして説明するが、もちろん、プリーツ型以外のマスクであってもよく、例えば、立体型のマスク、平型マスクでもよい。
【００１５】
マスク本体部１２は、着用者の顔の下部に位置する鼻と口を覆い、上下方向に広がることが可能なプリーツが形成される。マスク本体部１２は、一枚の矩形部材で構成される。一枚の矩形部材の大きさは、着用者の顔の大きさを考慮して設定され、例えば、横方向を１００〜１９０ｍｍ程度、縦方向を５０〜１００ｍｍ程度とすることが好ましく、より好ましくは、横方向を１７０ｍｍ程度、縦方向を９０ｍｍ程度とすることである。
【００１６】
マスク本体部１２は、通気性を有するシート部材、例えば、複数の原料を組み合わせることで、厚みや空隙を自由に調整できるのが特徴の不織布で構成することができ、さらには、スパンボンド法、メルトブロー法、サーマルボンド法、スパンレース法により形成された不織布で構成することが好適である。また、マスク本体部１２は、不織布以外の材質、例えば、綿織物を重ね合わせたガーゼタイプのマスクを用いてもよい。
【００１７】
マスク本体部１２の構造として、１層以上のシート部材とすることができ、例えば、Ｓ層（スパンボンドの単層）、ＳＳ層（スパンボンド・スパンボンドの２層構造）、ＳＭＳ層（スパンボンド・メルトブロー・スパンボンドの３層構造）とすることができる。
【００１８】
マスク本体部１２には、少なくとも１つのプリーツが形成される。プリーツは、少なくとも２つの折り目でシート部材を折り返すことで形成される。
【００１９】
このプリーツを広げることによって、マスク本体部１２が縦方向（上下方向）に伸縮し、様々な顔の大きさに対応することができる。プリーツは、正面から見て上向きまたは下向きのいずれの向きにも形成でき、プリーツの数は限定されないが、数が多いほどマスク本体部１２が伸縮する。
【００２０】
マスク本体部１２は、ノーズフィッターを有する。ノーズフィッターは、着用者の鼻に跨るように形状を変化させることが可能な部材である。ノーズフィッターは、横方向に伸びた芯部を有している。
【００２１】
芯部は、可撓性材料で構成されており、着用時に着用者の鼻の形状に沿うように変形させることで、マスク本体部１２の上側部分と鼻との間に形成される隙間を抑制することができる。
【００２２】
芯部は、略平板形状を有しているが、横方向端部の角部が丸みを帯びて形成されている。ノーズフィッターの長さは、５０〜１００ｍｍ程度とすることが好まく、一枚の矩形部材の横方向を１７０ｍｍ程度、縦方向を９０ｍｍ程度とした場合に、より好ましくは、８５ｍｍ程度とすることである。
【００２３】
耳掛け紐部１４は、マスク本体部１２の横方向両端部にそれぞれ設けられる。耳掛け紐部１４は、伸縮性を有する紐状部材であり、例えばスパンデックス（ポリウレタン弾性繊維）により構成される。
【００２４】
耳掛け紐部１４は、ここでは断面形状が丸状のものであるものとするが、例えば、これを平板形状として着用者の肌との接触面積を増大させて着用時に耳や頬に作用する圧力を低減して、着用感を高めることもできる。
【００２５】
装飾用シール部材１６は、マスク本体部１２の表面側に貼着されるような接着剤を含む接着面を有するシール部材である。装飾用シール部材１６は、複数のシール部で構成されている。各シール部は、マスク本体部１２の表面の所望の位置に配置することが出来る。なお、各シール部の接着面は、未使用時には剥離紙が装着されている。
【００２６】
各シール部は、図１（ａ）に示されるように、例えば、可愛いミツバチ等の昆虫等や、ハート等や数字（例えば、２３）等が表示されたシール部材であるものとして説明するが、もちろん、その他の素材をモチーフにしてもよい。
【００２７】
装飾用シール部材１６は、ポッティング加工が施されたポッティングシールを含んで構成される。ポッティングシールとは、印刷を施したシールの表面にドーム状のウレタン樹脂が凝固しているシールである。ポッティングシールは、丸型、四角型、変形型、様々な形状に樹脂盛りが可能である。
【００２８】
ポッティングシールの厚みは、基本２．０ｍｍ前後の厚みであり、薄く盛ると樹脂が端まで流れない場合があり、厚すぎると表面張力がきかずに樹脂が漏れる可能性がある。樹脂の硬さはエポキシ樹脂に比べると柔らかい樹脂となる。
【００２９】
ポッティングシールの制作方法は、印刷からカス取り処理（不要な部分が取り除かれ、必要なシールだけが剥離紙に並んでいる状態）まで行われたシールの表面に、樹脂盛機で樹脂を垂らす。
【００３０】
あらかじめシールの面積に適した樹脂量を設定しているため、ウレタン樹脂がシールの外にこぼれることはなく、シールの際まで広がったウレタン樹脂は表面張力を発揮し、面積の外にこぼれないよう踏ん張り、２．０ｍｍ程度の膨らみがドーム状の役目をはたす。
【００３１】
続いて、上記構成の衛生マスク１０の作用について説明する。一般的な衛生マスクは白の単一色が多いが、例えば、電車の中にいる人が白色のマスクばかりを装着していると面白味がない。
【００３２】
しかしながら、衛生マスク１０によれば、マスク本体部１２が白色で構成されている場合であっても、マスク本体部１２には、可愛らしいミツバチや数字が表示された装飾用シール部材１６が図１のように貼着されている。
【００３３】
また、装飾用シール部材１６は、衛生マスク１０の表面の自由な位置に貼り付けることができ、また、ミツバチや数字以外の素材、例えば、キャラクターなどを組み合わせて装飾することが出来る。これにより、オリジナリティがあって面白味のある衛生マスクとすることが出来る。
【００３４】
衛生マスク１０に対して装飾用シール部材１６を変えたものとして、例えば、図１（ｂ）に示されるような衛生マスク１０ａにしてもよい。ここでは、装飾用シール部材１６ｂは、カブトムシやクワガタなどの可愛らしいイラストがシール部材となって貼着されている。
【００３５】
また、衛生マスク１０，１０ａは、不織布のプリーツ型のマスクであるが、図１（ｃ）に示されるような衛生マスク１０ｂでもよい。衛生マスク１０ｂは、ウレタンで構成されている。ここでは、装飾用シール部材１６ｂは、星印やクジラや数字（例えば、２０）などのイラストがシール部材となって貼着されている。
【００３６】
装飾用シール部材１６，１６ａ，１６ｂでは、ミツバチ、カブトムシ、クワガタ、クジラ、ハート、星印、数字などをモチーフにしたシール部材であるものとして説明したが、パンダ、クマなどの動物、植物、風景などをモチーフにしたものであってもよい。
【符号の説明】
【００３７】
１０，１０ａ，１０ｂ  衛生マスク、１２  マスク本体部、１４  紐部、１６，１６ａ，１６ｂ  装飾用シール部材。
【図１】
0003230071.tif 000003